(57)【要約】【課題】プリンタによりＲＦＩＤ素子への情報書き込みを行う場合、通信用アンテナからＲＦＩＤ素子迄の絶対距離がしばしば問題となり、外来ノイズの影響を受けやすい。【解決手段】  ベルト搬送部と複数のラインヘッドを持つカラープリンタでは搬送ベルトのループ内部空間、又は記録ヘッドのキャップ機構部を利用すれば媒体搬送方向の距離が大きくとれるので比較的ハイゲイン（高利得）の書き込み用固定アンテナを近接して配置できる。【選択図】    図１
2006065722.tif 000002
【特許請求の範囲】
【請求項１】
書き込み可能なメモリを含むＲＦＩＤ素子を付加した記録媒体への複数のラインヘッドによる記録動作と、
前記ＲＦＩＤ素子への書き込みを併せて実行可能な記録装置において、
前記ＲＦＩＤ素子との通信アンテナを搬送方向、最上流側の記録ヘッドから最下流側の記録ヘッドにかかる用紙搬送路近傍に具えたことを特徴とする記録装置。
【請求項２】
前記記録ヘッドを密閉キャップするキャップ機構を更に具え、
前記通信アンテナを前記キャップ機構内に備えたことを特徴とする請求項１に記載の記録装置。
【請求項３】
前記通信アンテナは用紙搬送方向に移動する移動手段を更に有することを特徴とする請求項1、又は２に記載の記録装置。
【発明の詳細な説明】
【技術分野】
【０００１】
本発明はＲＦＩＤ内蔵の記録媒体への印刷、及び情報の書き込み可能な記録装置に関する。
【背景技術】
【０００２】
従来、書き込み可能なＲＦＩＤ素子を含む記録媒体への複数のラインヘッドによる記録動作と、ＲＦＩＤ素子への書き込みを併せて実行可能な記録装置では、記録動作する前の給紙部近傍か、もしくは記録動作完了後の排紙部近傍にＲＦＩＤ素子との通信用アンテナを配置し、同一媒体への記録動作と、ＲＦＩＤ素子への書き込み動作が重複しないようにしている。
（例えば特許文献１）
【０００３】
【特許文献１】特開２００３−１４０５４８
【発明の開示】
【発明が解決しようとする課題】
【０００４】
しかし、ラインプリンタでは記録媒体の搬送速度大きいので、通信用アンテナも比較的大きいものが必要になり、ＲＦＩＤ素子への書き込みに必要な通信用のスペースが記録装置全体を大きくする要因になっていた。
本発明が解決しようとする課題は、ＲＦＩＤ素子への書き込み専用スペースを付加することなく、且つ外来ノイズに強い書き込み動作信頼性を確保することにある。
【課題を解決するための手段】
【０００５】
上記課題を解決するために本発明は為されたもので、カラーラインプリンタ等、複数の記録ヘッドを有する記録装置では、記録媒体の搬送方向に記録ヘッドが並列に配置されたスペースがあることに着目し、本発明ではＲＦＩＤ素子に書き込みするための通信アンテナを搬送方向最上流側記録ヘッド〜最下流の記録ヘッド迄の搬送区間に収めるようにした。
【発明の効果】
【０００６】
本発明を実施することによって、書き込み可能なＲＦＩＤ素子を含む記録媒体への複数のラインヘッドによる記録動作と、ＲＦＩＤ素子への書き込みを併せて実行可能な記録装置の小型化を促進できる。
【０００７】
又、そうすることによって通信アンテナは大きなサイズのものを選択でき、高利得となる。
【０００８】
すると記録装置自体を含む外来ノイズに対して通信の信頼性をも高められる。
【発明を実施するための最良の形態】
【０００９】
本発明を実施する最良の形態について、以下に図を用いて詳細に説明する。
【実施例１】
【００１０】
図１は本発明を最もよく表す断面模式図である。
１０１はプリンタ本体であり、１０２〜１０７はメディアに画像を形成する為の記録ヘッドである。１０８は印字ヘッド１０２〜１０７のフェイス面を待機中密閉キャップするほか、記録ヘッド１０２〜１０７のフェイス面に付着した紙紛やごみ、吐出後に残る残滴等を清掃するための回復（キャップ）機構である。
【００１１】
また、回復（キャップ）機構１０８は記録ヘッドの回復動作によるインクの排出をキャッチする。
【００１２】
１０９は搬送部であり、メディアを給紙部から搬送し、画像を形成すべく記録ヘッド１０２〜１０７の直下を通過するようになっている。１１０は搬送モータで、１１１は搬送ベルトである。搬送ベルト１１１の上にメディアを載せ搬送モータ１１０の回転により、メディアは前述したようにヘッド１０２〜１０７の直下を通過する。１１２は給紙側からメディアを受け渡すためのピンチローラであり、１１３はメディアを印字ヘッド１０２〜１０７に接触させないための拍車である。また、１１４は拍車クリーナで、拍車１１３に付着したインクを清掃する。これによりメディア拍車に押さえられながら搬送されてもきれいな状態で搬送される。また、１１５は排紙拍車であり、排紙トレイ１１６にメディアを排紙するための拍車である。１１７はメディアの先端を検知する先端検知センサで、メディアがプリンタ本体に導入されたことを検知する。また、１１８〜１２４はインクカートリッジであり、画像を形成するためのインクが入っている。１２５は給紙機構で、メディアPが積載トレイ１２６に一枚もしくは複数枚積載されている。給紙部１２５は大量に積載されたメディアを一枚ずつ分離し、案定してプリンタに導入する機構となっている。１２７はピックアップローラであり、積載されたメディアを給紙するための働きをしている。１２８は分離機構であり、確実に一枚ずつプリンタに給紙可能となるように分離させる機構であり、１２９はメディアを真直ぐにプリンタに導入することの可能な斜送ローラである。１３０はメディアのカールを強制しプリンタに導入することの可能なメディアカールとり機構である。１３１はＩＣチップを内蔵するＲＦＩＤに対し情報を送受信するための通信アンテナであり、回復桶１０８に具備されている。また、１３３はＲＦＩＤリーダ・ライタであり、ＲＦＩＤに対して情報の読み書きを行なう。
【００１３】
次に図２を用いてＲＦＩＤアンテナの設置位置を詳細に説明する。
【００１４】
図２の２−１において、前述通信アンテナ１３１は回復桶１０８に具備されており、先端検知センサ１１７の真上近郊に配置されている。印字するために搬送される記録媒体Ｐは給紙機構により、プリンタ内に連続で給紙される。記録媒体Ｐが先端検知センサ１１７にかかると記録装置のＣＰＵは印字準備をすると同時に、ＲＦＩＤリーダ・ライタ１３３に書き込み指令し、ＲＦＩＤリーダ・ライタ１３３は通信アンテナ１３１を介して無線周波数による情報の書き込みを行なう。
【００１５】
図２の２−２では通信アンテナ２０２は記録ヘッド２０３のキャップ機構２０１内部に具えられ、外部から接触できない構造にしている。
【００１６】
図３に示す如く、場合により通信アンテナ３０１はストッパ３０２によってキャップ機構１０８に取り付けられる。
【００１７】
通信アンテナ３０１は保護シート３０３で覆い、記録ヘッドから吐出されるインクのミスト、或いは回復動作時、ワイパブレードによるクリーニングで飛翔するワイプ滴等の付着を回避する。
【実施例２】
【００１８】
図４は第二の実施例を表す断面模式図である。
４０１が通信アンテナであり、記録ヘッド１０２〜１０７の下部に設置されている。また、通信アンテナ４０１は例えばワイヤ４０２、４０３にて保持されて記録媒体搬送方向左右に移動可能となっている。次に図５にて通信アンテナの移動方法を説明する。通信アンテナ５０１はワイヤ５０２、５０３に保持され、回転部材５０４、５０５の回転に伴い、巻き取られる構成になっている。通信アンテナ５０１は二本の搬送ベルト５０６の間に具備されており、かつ搬送ベルト５０６より少なくとも出っ張らないような位置になっている。また、記録媒体は通信アンテナ５０１の上部を搬送される。回転部材５０４、５０５は搬送駆動軸５０７、及び搬送従動軸５０８に結合されている。回転部材５０４、５０５内部にはクラッチが入っており、駆動軸５０７及び従動軸５０８に着脱可能となっている。従って回転部材５０５を従動軸に５０８に連結すると、ワイヤ５０３は回転部材に巻き取られ、通信アンテナ５０１は搬送方向に移動し、従動軸５０８に回転部材５０４が連結されるとワイヤ５０２は回転部材504に巻き取られ通信アンテナ５０１は搬送方向と逆の上流側に移動する。
【００１９】
図７は本発明を実施した記録装置の電気的なブロック図である。
【００２０】
本発明を実施した記録装置１０１の電気的なブロック図を図7に示す。
【００２１】
不図示のホストコンピュータ（ホストＰＣ）から、記録に使用する記録データとＲＦＩＤ素子７２０に書き込む書き込みデータを記録装置１０１の外部インタフェース７０９に転送して記録動作、及びＲＦＩＤ素子への書き込み動作開始を指示する。
【００２２】
CPU（中央演算処理装置：Central Processing Unit）７０１はデータの受信、記録動作、ＲＦＩＤ（Radio Frequency IＤentification）リーダ／ライタ１３３の制御、そして記録媒体（用紙）のハンドリング等全般の制御を掌る演算処理装置である。
【００２３】
ＣＰＵ７０１は受信したコマンドを解析後、記録データの各色成分のイメージデータをＲＡＭ７０３にビットマップ展開して描画する。
【００２４】
記録前の動作処理としてＣＰＵ７０１はヘッド・キャップ制御部７０４を駆動し、記録ヘッド１０２〜１０７のキャッピングを解除し、記録位置に移動させる。
【００２５】
並行して、用紙給紙部７０５、及び搬送部７０６を夫々駆動開始してＲＦＩＤ素子７２０を内蔵した記録媒体Ｐを繰り出す給紙モータ（不図示）及び搬送モータ１１０等を駆動し用紙を記録部に搬送する。
【００２６】
用紙搬送部７０６には図５で述べた通信アンテナを搬送方向左右に移動する場合に必要な不図示のクラッチを備える。
【００２７】
定速度で搬送される記録媒体Ｐの記録タイミングを決定するための先端検知センサ１１７で記録媒体Ｐの先端位置を検出する。
【００２８】
その後用紙搬送に同期して、ＣＰＵ７０１はＲＡＭ７０３から対応する色のイメージデータを順次読み出し、記録ヘッド制御部７０８を介して、記録ヘッド１０２〜１０７に順次データ転送し、各記録ヘッドが持つ多数のノズルから選択的にインクを吐出させ、カラー記録する。
【００２９】
ＣＰＵ７０１の動作はＲＯＭ７０２に記憶された処理プログラムに基づき、実行される。
【００３０】
ＲＯＭ７０２には後述する図６の制御フローに対応する処理プログラム及びテーブル等が記憶されている。
【００３１】
又作業用のメモリとしてワークＲＡＭ７０３を使用する。ＲＦＩＤ素子７２０への書き込み動作に用いる書き込みデータ等もＲＡＭ７０３領域内に設けられる。
【００３２】
ＲＦＩＤ素子７２０へ通信アンテナ１３１を介して情報の書き込み、読み込みを行うＲＦＩＤリーダ・ライタ１３３とＣＰＵ７０１は例えば非同期のシリアルインタフェースやバス形式の入出力回路にて接続される。オペレーションパネル７０７には不図示の制御スイッチ、ＬＥＤ、ＬＣＤ等の表示器が備えられ、記録装置１０１の状態表示、用紙種類の設定、ジャム処理時のＯＮＬＩＮＥ／ＯＦＦＬＩＮＥ切り替え等の入力できる。
【００３３】
ＲＦＩＤ素子７２０内部には通信用アンテナ７２４、ＲＦＩＤ素子制御ＣＰＵ７２１、プログラム記憶用のＲＯＭ７２２、それに不揮発性のＲＡＭ７２３のほか、通信用アンテナ７２４の高周波受信電力から内部動作電圧を生成するための動作電圧生成回路（不図示）も具えられる。
【００３４】
続いて本発明に関わる上記ＣＰＵ７０１の制御フローを図６に示す。
【００３５】
ＲＦＩＤ内蔵の記録媒体Ｐへの画像の記録、及びＲＦＩＤ素子への書き込みコマンドを受信すると（ステップ６００）、ＣＰＵ７０１はＲＦＩＤリーダ・ライタ１３３の動作設定を指示する（ステップ６０１）。
【００３６】
そして用紙（記録媒体）を搬送するための用紙搬送路の動作を予め開始しておき（ステップ６０２）次に記録媒体の1枚毎の給紙を開始する（ステップ６０３）。
【００３７】
記録媒体が記録部に達すると印刷（記録）処理（ステップ６０４）、ＲＦＩＤタグ（素子）内ＲＡＭ７２３への書き込み（ステップ６０５）をほぼ同時に実行、そして排出し（ステップ６０６）、所定の印刷（記録）枚数が終了したら（ステップ６０７-Ｙｅｓ）、搬送部を停止して（ステップ６０８）、処理は終了する。
【産業上の利用可能性】
【００３８】
本発明はＲＦＩＤタグ等、無線通信素子が付加された記録媒体への情報書き込みと画像の記録（印刷）を高速に行なう記録装置、とりわけカラー記録可能なラインプリンタへの利用が可能である。
【図面の簡単な説明】
【００３９】
【図１】本発明を実施した記録装置の断面模式図である。
【図２】本発明を実施した通信アンテナの取り付け模式図である。
【図３】本発明を実施した通信アンテナの取り付け模式図である。
【図４】別の実施例による通信アンテナの取り付け断面模式図である。
【図５】別の実施例による搬送部の模式図である。
【図６】本発明を実施した記録装置の制御フローである。
【図７】本発明を実施した記録装置の電気的なブロック図である。
【符号の説明】
【００４０】
１０１  記録装置
１０２〜１０７
記録ヘッド
１０９  搬送部
１０９  搬送部
１１７  先端検知センサ
１３３  ＲＦＩＤリーダ・ライタ
２０１  キャップ機構
２０２  通信アンテナ
２０３  記録ヘッド
３０１  通信アンテナ
３０２  ストッパ
３０３  保護シート
４０１  通信アンテナ
４０２  ワイヤ
４０３  ワイヤ
５０１  通信アンテナ
５０２  ワイヤ
５０３  ワイヤ
７０１  ＣＰＵ
７０２  ＲＯＭ
７０３  ＲＡＭ
７２０  ＲＦＩＤ素子
【図１】
2006065722.tif 000003
【図２】
2006065722.tif 000004
【図３】
2006065722.tif 000005
【図４】
2006065722.tif 000006
【図５】
2006065722.tif 000007
【図６】
2006065722.tif 000008
【図７】
2006065722.tif 000009